(57)【要約】【課題】従来のシステムベッドでは、ベッド本体を単独で用いる場合、使い勝手が悪い場合があった。【解決手段】ベッド本体２は、ヘッドボード５およびフットボード６を有しており、ヘッドボード５の一部は、サイドボード７よりも下方に突出する突出部５ｃとなっている。箱状支持材３および板状支持材４は、それぞれ、ベッド本体２をその下方で支持している。箱状支持材３と、突出部５ｃおよび板状支持材４とは、ハイベッドとしてのシステムベッド１の脚をそれぞれ構成している。ベッド本体２を単独で用いる場合、当該ベッド本体２を上下が逆になるように反転させて設置する。ベッド本体２を単独で用いる場合、当該ベッド本体２は専用のベッドと同様の形態をなしているので、使い勝手がよい。【選択図】図１
2008279196.tif 000002
【特許請求の範囲】
【請求項１】
ベッドの一端側を形成するヘッドボードと、
ベッドの他端側を形成するフットボードと、
ヘッドボードおよびフットボードを連結する一対のサイドボードとを有し、
ヘッドボード、フットボードおよび一対のサイドボードで囲まれた領域に寝具が配置できるベッド本体を備え、
前記ヘッドボードは、上下方向の一端が前記サイドボードの上下方向の一端よりも下方へ所定量突出した突出部を有し、
前記フットボートは、上下方向の一端が前記サイドボードの上下方向の一端と略等しい高さになっており、
前記ヘッドボードおよびフットボードは、共に、上下方向の他端が等しい高さになっていて、
前記ヘッドボードの前記突出部の突出端には、ヘッドボードを支持するための板状支持材が取り外し可能に連結されており、
前記フットボードの前記一端およびフットボード近傍のサイドボードの前記一端を支持するための箱状支持材が取り外し可能に取り付けられており、
前記ヘッドボードの前記突出部およびそれに連結された板状支持材ならびに前記箱状支持材によってベッドの脚が構成され、ベッドは前記脚によって所定の高さを有する相対的に高いベッドとなっており、
前記板状支持材および箱状支持材を取り外し、前記ベッド本体を上下が逆になるように反転させて設置することにより、前記ヘッドボードおよびフットボードの上下方向の各他端がそれぞれ床に当接されて相対的に低いベッドとなり、
取り外した前記箱状支持材に対して、取り外した前記板状支持材を天板として取り付けることができ、収納箱が構成されることを特徴とするシステムベッド。
【発明の詳細な説明】
【技術分野】
【０００１】
この発明は、ベッド本体が相対的に高い位置に配置されたハイベッド（またはミドルベッド）として用いることができるとともに、ベッド本体を単独でローベッドとして用いることもできるシステムベッドに関するものである。
【背景技術】
【０００２】
従来から机や棚などと組み合せてベッド本体を相対的に高い位置に配置するシステムベッドが知られている。例えば下記特許文献１では、ベッド本体と机とを上下に組み合せて用いるとともに、ベッド本体と机とを切り離して、それぞれを独立して用いることもできるシステムベッドが開示されている。
【特許文献１】特開２００７−５４１８５号公報
【発明の開示】
【発明が解決しようとする課題】
【０００３】
しかしながら、特許文献１記載のベッド本体および机は、組み立てた状態での使用態様を主として設計されているため、独立して使用する際に専用のベッドや机に比べて使い勝手が悪いという課題があった。
また、ベッド本体および机をそれぞれ独立して使用する場合、ベッド本体と机とを連結するために用いられていた連結部材が不要になり、当該連結部材が有効に活用されないという課題があった。
【０００４】
この発明は、かかる背景のもとでなされたものであり、単独して使用する場合であっても使い勝手のよいベッド本体を備えるシステムベッドを提供することを目的とする。
また、本発明の他の目的は、如何なる態様で用いる場合であっても部材を有効に活用することができるシステムベッドを提供することである。
【課題を解決するための手段】
【０００５】
上記課題を解決するための本発明は、ベッドの一端側を形成するヘッドボードと、ベッドの他端側を形成するフットボードと、ヘッドボードおよびフットボードを連結する一対のサイドボードとを有し、ヘッドボード、フットボードおよび一対のサイドボードで囲まれた領域に寝具が配置できるベッド本体を備え、前記ヘッドボードは、上下方向の一端が前記サイドボードの上下方向の一端よりも下方へ所定量突出した突出部を有し、前記フットボートは、上下方向の一端が前記サイドボードの上下方向の一端と略等しい高さになっており、前記ヘッドボードおよびフットボードは、共に、上下方向の他端が等しい高さになっていて、前記ヘッドボードの前記突出部の突出端には、ヘッドボードを支持するための板状支持材が取り外し可能に連結されており、前記フットボードの前記一端およびフットボード近傍のサイドボードの前記一端を支持するための箱状支持材が取り外し可能に取り付けられており、前記ヘッドボードの前記突出部およびそれに連結された板状支持材ならびに前記箱状支持材によってベッドの脚が構成され、ベッドは前記脚によって所定の高さを有する相対的に高いベッドとなっており、前記板状支持材および箱状支持材を取り外し、前記ベッド本体を上下が逆になるように反転させて設置することにより、前記ヘッドボードおよびフットボードの上下方向の各他端がそれぞれ床に当接されて相対的に低いベッドとなり、取り外した前記箱状支持材に対して、取り外した前記板状支持材を天板として取り付けることができ、収納箱が構成されることを特徴とするシステムベッドである。
【発明の効果】
【０００６】
本発明では、ヘッドボードの突出部およびそれに連結された板状支持材と、箱状支持材とをそれぞれシステムベッドの脚として用いることにより、当該システムベッドを、ベッド本体が相対的に高い位置に配置されたハイベッド（またはミドルベッド）として用いることができる。
また、板状支持材および箱状支持材をベッド本体から取り外し、ベッド本体を上下が逆になるように反転させて設置することにより、当該ベッド本体をローベッドとして用いることができる。
【０００７】
上記ベッド本体をローベッドとして用いる場合、ヘッドボードの上端はサイドボードよりも上方へ突出し、フットボードの上端はサイドボードの上端と略等しい高さになっている。すなわち、上記ベッド本体をローベッドとして用いる場合、当該ベッド本体は専用のベッドと同様の形態をなしている。したがって、ベッド本体は、独立して用いる場合であっても非常に使い勝手がよい。
【０００８】
また、箱状支持材に対して板状支持材を天板として取り付けることで、箱状支持材および板状支持材を収納箱として利用することができるので、ベッド本体を独立して用いる場合であっても、箱状支持材および板状支持材を有効に活用することができる。すなわち、如何なる態様でシステムベッドを用いる場合であっても、当該システムベッド全体を有効に活用することができる。
【発明を実施するための最良の形態】
【０００９】
以下では、この発明の実施の形態を、添付図面を参照して詳細に説明する。
図１は、本発明の一実施形態に係るシステムベッド１をその上方から見た斜視図である。図２は、上記システムベッド１の側面図であり、図３は、上記システムベッド１の一部を図２における矢視IIIから見た図である。この図１〜図３では、システムベッド１がハイベッドまたはミドルベッド（以下では、「ハイベッド等」という。）を構成している。
【００１０】
図１および図２を参照して、システムベッド１は、ベッド本体２と、このベッド本体２をその下方で支持する箱状支持材３および板状支持材４とを備えている。ベッド本体２は、当該ベッド本体２の前方側（一端側）を形成するヘッドボード５と、当該ベッド本体２の後方側（他端側）を形成するフットボード６と、このヘッドボード５およびフットボード６を連結する一対のサイドボード７とを含む。
【００１１】
ヘッドボード５およびフットボード６は、システムベッド１の前後方向に間隔を隔てて対向している。また、一対のサイドボード７は、システムベッド１の左右方向に間隔を隔てて対向している。一対のサイドボード７は、それぞれ、ヘッドボード５およびフットボード６の左端同士、および、ヘッドボード５およびフットボード６の右端同士を連結している。ヘッドボード５、フットボード６および一対のサイドボード７は、平面視において、矩形の枠形状をなしており、これらのボード５〜７に囲まれた直方体状の領域にマットレス等の寝具が配置されるようになっている。
【００１２】
ヘッドボード５およびフットボード６は、互いに等しい幅（左右方向の長さ）を有する矩形の平らな板であり、上下方向に関する長さは、ヘッドボード５の方がフットボード６よりも長くされている。図２に示すように、上下方向に関するヘッドボード５の上端（他端５ｂ）の位置とフットボード６の上端（他端６ｂ）の位置とは、互いに等しくされている。
【００１３】
また、各サイドボード７は、システムベッド１の前後方向に長い概ね矩形の板状の部材であり、その上下方向に関する長さは、フットボード６と略等しくされている。上下方向に関する各サイドボード７の上端（他端７ｂ）の位置は、ヘッドボード５およびフットボード６の他端５ｂ，６ｂの位置よりもやや低くされている。また、上下方向に関する各サイドボード７の下端（一端７ａ）の位置は、フットボード６の下端（一端６ａ）の位置と等しくされている。ヘッドボード５の一部は、各サイドボード７の一端７ａよりも下方に所定量突出しており、突出部５ｃとなっている。
【００１４】
本実施形態では、システムベッド１の前後方向に長い一対の板状部材（一方の板状部材８および他方の板状部材９）と、この一対の板状部材８，９によって上下方向に挟まれた複数の縦板１０とによって、各サイドボード７が構成されている。各サイドボード７の一方の板状部材８（図１および図２では上側の板状部材）と複数の縦板１０とは、それぞれ固定されており、ヘッドボード５およびフットボード６、ならびに当該一方の板状部材８と対をなす他方の板状部材９に対して取り外し可能に連結されている。
【００１５】
具体的には、例えば、ダボとダボ孔との嵌合や、ボルト等の金具による締め付け等によって、各サイドボード７の一方の板状部材８および複数の縦板１０が、ヘッドボード５、フットボード６および上記対をなす他方の板状部材９に対して取り外し可能に連結されている。システムベッド１がハイベッド等として用いられる場合、各サイドボード７の一方の板状部材８および複数の縦板１０は、使用者がベッド本体２の上から転落することを防止する安全柵として機能する。なお、各サイドボード７は、一枚ものの板材によって構成されていてもよい。
【００１６】
図２に示すように、各サイドボード７の他方の板状部材９（下側の板状部材）の内側の面には、それぞれ、水平方向に延びる棒状の枠部材１１が複数個取り付けられている。また、ヘッドボード５およびフットボード６の内側の面にも、水平方向に延びる棒状の枠部材１２，１３がそれぞれ取り付けられている。各枠部材１１〜１３は、対応するボード５，６または板状部材９の内側の面から内方に向かって所定量突出するとともに、当該内側の面に沿って水平に取り付けられている。図示はしないが、複数の枠部材１１〜１３は、平面視において、ヘッドボード５、フットボード６および一対のサイドボード７の内側の面に沿う概ね矩形の枠形状をなしている。
【００１７】
また、各枠部材１１〜１３は上面（一方の面）および下面（他方の面）を有しており、上下方向に関する各枠部材１１〜１３の上面および下面の位置は、それぞれ、等しい高さにされている。寝具を支持するための一対のスノコ１４は、複数の枠部材１１〜１３の上面に載置された状態でベッド本体２に水平に支持されている。一対のスノコ１４は、ベッド本体２の底板として機能する。
【００１８】
また、本実施形態では、各枠部材１１〜１３の下面の位置が等しい高さにされているので、ベッド本体２を上下が逆になるように反転させた場合であっても、各枠部材１１〜１３の他方の面（図２においては下面）に一対のスノコ１４を載置することで、当該一対のスノコ１４をベッド本体２に支持させることができるようになっている。すなわち、複数の枠部材１１〜１３は、その一方の面および他方の面がそれぞれ一対のスノコ１４を支持する支持面となっており、上下方向に関して両方で使用できるようになっている。
【００１９】
なお、本実施形態では、ベッド本体２の底板として、ベッド本体２に対して取り外し可能な一対のスノコ１４が用いられている場合について説明しているが、これに限らず、例えばベッド本体２に水平に固定された板材を上記底板として用いてもよい。
続いて、箱状支持材３および板状支持材４について説明する。
図１および図２を参照して、箱状支持材３は、フットボード６の一端６ａおよびフットボード６近傍のサイドボード７の一端７ａに取り外し可能に取り付けられており、ベッド本体２の後方部を支持している。また、板状支持材４は、ヘッドボード５の突出部５ｃの下端（突出端５ａ）に取り外し可能に取り付けられており、ベッド本体２の前方部を支持している。箱状支持材３および板状支持材４は、それぞれ、例えばダボとダボ孔との嵌合やボルト等の金具による締め付け等によって、ベッド本体２に取り外し可能に取り付けられている。ヘッドボード５の突出部５ｃおよびそれに連結された板状支持材４と、箱状支持材３とはそれぞれハイベッド等としてのシステムベッド１の脚を構成しており、この一対の脚によってベッド本体２が相対的に高い位置に配置されている。
【００２０】
箱状支持材３について詳しく説明すると、箱状支持材３は、フットボード６と等しい幅（左右方向の長さ）を有するとともに、所定の高さおよび奥行きを有する直方体状の外形を有している。すなわち、箱状支持材３は、上下方向に延びる左右一対の側板１５，１５と、一対の側板１５，１５間に配置された上下方向に延びる背板１６と、一対の側板１５，１５間で水平に支持された複数枚の棚板１７とを有している。一対の側板１５，１５の外側の面の間の距離が、箱状支持材３の幅となっており、フットボード６の幅と等しくされている。
【００２１】
各側板１５，１５は、上下方向に延びる前後一対の支柱１８、１８と、一対の支柱１８、１８の間で上下方向に間隔を隔てて配置された複数の横板１９とを含む。各側板１５，１５の一対の支柱１８、１８は、複数の横板１９によって前後方向に間隔を隔てて連結されている。また、各側板１５，１５の上面は、一対の支柱１８、１８の上面と、最上の横板１９の上面とによって構成されている。各側板１５，１５の上面は、互いに高さの等しい水平な面になっている。各側板１５，１５の上面が、箱状支持材３の最上面となっている。
【００２２】
また、各側板１５，１５の一方の支柱１８、１８（図１および図２においてヘッドボード５側の支柱１８、１８）は、背板１６によって連結されている。各棚板１７は、水平方向に対向する一対の横板１９，１９の間に配置されている。なお、各側板１５，１５は、一枚ものの板材によって構成されていてもよい。
図２に示すように、フットボード６の一端６ａおよびフットボード６近傍のサイドボード７の一端７ａには各側板１５，１５の上面が当接しており、これによって、ベッド本体２の後方部が箱状支持材３によって支持されている。箱状支持材３は、直方体状であるので安定しており、ベッド本体２の後方部を非常に安定して支持することができる。
【００２３】
また、箱状支持材３は、その開放側がシステムベッド１の後方側に向けられており、当該後方側から棚として利用されるようになっている。無論、箱状支持材３は、その開放側がシステムベッド１の前方側（ヘッドボード５側）に向くように配置されていてもよい。
続いて板状支持材４について詳しく説明する。図２および図３を参照して、板状支持材４は、ヘッドボード５と等しい幅（左右方向の長さ）を有する矩形の平らな板であり、その上面が、ヘッドボード５の突出部５ｃの下端（突出端５ａ）に当接している。上下方向に関する板状支持材４の長さは、箱状支持材３の奥行き（前後方向の長さ）と概ね等しくされている。すなわち、板状支持材４は、箱状支持材３の上端に取り付けることができるようになっており、当該箱状支持材３に対して丁度いい大きさの（不要な出っ張り等が生じない）天板として機能するようになっている。また、板状支持材４と突出部５ｃとを併せた上下方向に関する長さは、箱状支持材３の高さと等しくされている。
【００２４】
図３に示すように、突出部５ｃに対して板状支持材４が取り付けられた状態で、板状支持材４および突出部５ｃには、補強用の柱２０が左右にそれぞれ一つずつ取り付けられている。これにより、剛性の高い脚が構成され、ベッド本体２の前方部が安定して支持されている。上下方向に関する各柱２０の長さは、板状支持材４と突出部５ｃとを併せた長さと等しくされており、各柱２０は、板状支持材４および突出部５ｃに沿って上下方向に取り付けられている。
【００２５】
各柱２０には、複数のボルト挿通孔２１が形成されており、このボルト挿通孔２１を介して、図示しないボルトを板状支持材４および突出部５ｃに取り付けることで、各柱２０が、板状支持材４および突出部５ｃに固定されている。
なお、板状支持材４および突出部５ｃによって、ベッド本体２の前方部を安定して支持できる場合には、補強用の柱２０を設けなくてもよい。すなわち、例えば、ヘッドボード５および板状支持材４の厚み（前後方向の厚み）が十分に厚くされている場合には、板状支持材４および突出部５ｃによって、ベッド本体２の前方部を安定して支持することができるので、補強用の柱２０を設けなくてもよい。
【００２６】
次に、ベッド本体２を独立して用いる場合、および箱状支持材３および板状支持材４を収納箱として用いる場合について説明する。
図４は、ベッド本体２の側面図であり、図５は、箱状支持材３および板状支持材４によって構成された収納箱の外観図である。図４における二点鎖線は、ベッド本体２に載置された寝具２２を示している。また、図５において、（ａ）は収納箱の正面図であり、（ｂ）は収納箱の右側面図である。
【００２７】
図２および図４を参照して、ベッド本体２は、相対的に低い位置に配置されたローベッドとして単独で用いることができる。具体的には、箱状支持材３、板状支持材４および一対のスノコ１４をベッド本体２から取り外し、さらに、図２における状態からベッド本体２を上下が逆になるように反転させて、ヘッドボード５の他端５ｂおよびフットボード６の他端６ｂをそれぞれ床面に当接させ、複数の枠部材１１〜１３の他方の面（図４では上面）に一対のスノコ１４を載置することで、ベッド本体２をローベッドとして用いることができる。
【００２８】
このとき、ヘッドボード５の突出部５ｃは、図４に示すように、一対のサイドボード７よりも上方に突出しており、フットボード６の一端６ａおよび一対のサイドボード７の一端７ａの位置は等しくされている。すなわち、ベッド本体２をローベッドとして用いる場合、当該ベッド本体２は、専用のベッドと同様の形態をなしている。したがって、ベッド本体２は、専用のベッドと同様の使い勝手が確保されている。
【００２９】
また、図４では、各サイドボード７の一方の板状部材８（下側の板状部材）および複数の縦板１０が、ヘッドボード５およびサイドボード７、ならびに当該一方の板状部材８に対応する他方の板状部材９に取り付けられている状態を図示しているが、各サイドボード７の一方の板状部材８および複数の縦板１０は、取り外されていてもよい。すなわち、各サイドボード７の一方の板状部材８および複数の縦板１０を取り外すことで、ベッド本体２の下側の領域を開放し、当該下側の領域を例えば収納領域として有効に活用することができる。
【００３０】
次に図２および図５を参照して、ベッド本体２をローベッドとして単独で用いる場合、箱状支持材３および板状支持材４を収納箱として用いることができる。すなわち、箱状支持材３および板状支持材４をベッド本体２から取り外し、板状支持材４を、天板として箱状支持材３の上端に取り付けることで、収納箱が構成される（このとき、板状支持材４の一方の側面４ａが箱状支持材３の上端に当接する。）。板状支持材４の幅が、箱状支持材３の幅と等しくされており、板状支持材４の長さ（図２における上下方向の長さ）が、箱状支持材３の奥行き（図２における前後方向の長さ）と略等しくされているので、板状支持材４は、不要な出っ張り等のない使い勝手のよい天板として機能する。
【００３１】
以上のように本実施形態では、ヘッドボード５の突出部５ｃおよびそれに連結された板状支持材４と、箱状支持材３とをそれぞれ脚として用いることにより、当該システムベッド１を、ベッド本体２が相対的に高い位置に配置されたハイベッド等として用いることができる。システムベッド１をハイベッド等として用いることによりベッド本体２の下方に空間ができるので、当該空間を有効に活用することができる。
【００３２】
また、板状支持材４および箱状支持材３をベッド本体２から取り外し、ベッド本体２を上下が逆になるように反転させて設置することにより、当該ベッド本体２をローベッドとして用いることができる。すなわち、本実施形態に係るシステムベッド１は、使用者のニーズに柔軟に対応できるようになっている。しかも、ベッド本体２をローベッドとして用いる場合、ヘッドボード５の突出部５ｃはサイドボード７よりも上方へ突出しており、フットボード６の一端６ａはサイドボード７の一端７ａと等しい高さになっていて、ベッド本体２が専用のベッドと同様の形態をなしているので、ベッド本体２は、非常に使い勝手がよい。
【００３３】
また、箱状支持材３に対して板状支持材４を天板として取り付けることで、箱状支持材３および板状支持材４を収納箱として利用することができるので、ベッド本体２を独立して用いる場合であっても、箱状支持材３および板状支持材４を有効に活用することができる。すなわち、如何なる態様でシステムベッド１を用いる場合であっても、当該システムベッド１全体を有効に活用することができる。
【００３４】
本発明の一実施形態に係るシステムベッド１の説明は以上であるが、本発明は、以上の実施形態の内容に限定されるものではなく、請求項記載の範囲内において種々の変更が可能である。
【図面の簡単な説明】
【００３５】
【図１】本発明の一実施形態に係るシステムベッド１をその上方から見た斜視図である。
【図２】上記システムベッド１の側面図である。
【図３】上記システムベッド１の一部を図２における矢視IIIから見た図である。
【図４】ベッド本体２の側面図である。
【図５】箱状支持材３および板状支持材４により構成された収納箱の外観図である。
【符号の説明】
【００３６】
１      システムベッド
２      ベッド本体
３      箱状支持材
４      板状支持材
５      ヘッドボード
５ａ    突出端
５ｂ    他端（ヘッドボードの上下方向の他端）
５ｃ    突出部
６      フットボード
６ａ    一端（フットボートの上下方向の一端）
６ｂ    他端（フットボードの上下方向の他端）
７      サイドボード
７ａ    一端（サイドボードの上下方向の一端）
【図１】
2008279196.tif 000003
【図２】
2008279196.tif 000004
【図３】
2008279196.tif 000005
【図４】
2008279196.tif 000006
【図５】
2008279196.tif 000007